(57)【要約】【課題】釣服の腹部の外側に板状の当て部材を取り付けてこの部分を補強すると共に、かつ釣竿の竿尻を支持し易くした釣服を提供することである。【解決手段】左右の前身頃１、２の表地１ａ、２ａの袖ぐりより下方の前側で、腹部の外側位置に板状の当て部材６が取り付けられている。当て部材６はポリウレタン、ポリ塩化ビニ−ル、エチレン酢酸ビニ−ルなどの合成樹脂やゴム材が型成形されており、可撓性を有し、表地１ａ、２ａより剛性が大きく、また、その表面の摩擦係数が大きく形成され、表面に凸部６ａと凸部６ａよりも低く形成された底部となる凹部６ｂが形成される。凸部６ａの突出長さは０．５ｍｍから３ｃｍが望ましく、当て部材６の凸部６ａのうち、中心の下側のリブ部ａを長く突出するように形成してもよい。当て部材６の凸部６ａで釣竿４の竿尻５が滑り落ちないようにする。【選択図】        図１
2004225196.tif 000002
【特許請求の範囲】
【請求項１】
釣服の釣竿の竿尻が当てられる腹部の外側に竿尻が滑り落ちないように凸部を設けた板状の当て部材を取り付けたことを特徴とする釣服。
【発明の詳細な説明】
【０００１】
【発明の属する技術分野】
本発明は、釣服の前側に当て部材を取り付けた釣服の改良に関する。
【０００２】
【従来の技術】
【特許文献１】特開２００１−３５２８７９号公報
【０００３】
従来釣服の表地は繊維による織物であることから表面の摩耗が厳しく、必ず繊維間に隙間が生じることから、汚れがその隙間に溜り易く不具合があった。
更に釣において、釣竿の後端を腹付近に当てがって、釣竿を支えることがあるため、釣服の前部（前身頃）の下方（腹に該当する部分）が汚れたり摩耗し易い欠点があった。
【０００４】
【特許文献１】は、フロ−ティングベストの前面若しくは側面に開閉自在の開閉板を設けて仕掛交換やルア−交換の場合の作業スベ−スとしている。
従って、フロ−ティングベストの前面若しくは側面に開閉自在の開閉板が設けられているが、開閉板の表面は汚れや摩耗に強くても、釣竿を支えることはできない。
【０００５】
【発明が解決しようとする課題】
解決しようとする課題は、釣服の表地は繊維による織物であることから表面の摩耗が厳しく、必ず繊維間に隙間が生じることから、汚れがその隙間に溜り易い不具合があった。
更に釣において、釣竿の後端を腹付近に当てがって、釣竿を支えることがあるため、釣服の前部（前身頃）の下方（腹に該当する部分）が汚れたり摩耗し易いことである。
【０００６】
本発明の目的は前記欠点に鑑み、釣服の腹部の外側に板状の当て部材を取り付けてこの部分を補強すると共に、かつ釣竿の竿尻を支持し易くした釣服を提供することである。
【０００７】
【課題を解決するための手段】
上記課題を解決するために、
請求項１に係わる本発明は、釣服の釣竿の竿尻が当てられる腹部の外側に竿尻が滑り落ちないように凸部を設けた板状の当て部材を取り付けたことを要旨とするものである。
【０００８】
【発明の実施の形態】
本発明によって、当て部材６の表面の凸部６ａと凹部６ｂにより凹部６ｂに当てた釣竿４の竿尻５が凸部６ａで滑り落ちが防止され、釣竿４を押え付け易くなると共に、釣服の表地の摩耗が防止できる。
釣服の表地に繊維でない当て部材６を取り付けることにより、耐久性を上げることができる。
当て部材６がポリウレタンなどの合成樹脂素材で形成されていると、汚れなどが内側にしみ込まないため、汚れが落ち易く、拭き取るだけで洗濯が不要になる。
【０００９】
【実施例】
以下、図示の実施例によって本発明を説明すると、図１から図３は第１実施例で、図１は釣服の正面図、図２は当て部材で（ａ）は拡大正面図で（ｂ）は（ａ）図のｂ−ｂ断面線の断面側面図で（ｃ）は（ａ）図のｃ−ｃ断面線の断面側面図、図３は釣人が釣服の当て部材に竿尻を当てて釣竿を保持した説明図と一部拡大説明図である。
【００１０】
釣服のベストＡは、左前身頃１の表地１ａと右前身頃２の表地２ａと後身頃３の表地３ａと、左前身頃１の裏地と右前身頃２の裏地と後身頃３の裏地が縫製連結されている。
表地１ａ、２ａ、３ａはナイロン、ポリエチレン等の合成樹脂の繊維から成る布地で形成されている。
左前身頃１の裏地と右前身頃２の裏地と後身頃３の裏地は、ナイロン、ポリエチレン等の合成樹脂材で形成され、網目布で形成されて通気性をよくしている。表地１ａ、２ａ、３ａと各裏地の間にはＰＶＣやＥＶＡフォ−ム独立発泡体で形成された浮力体や中綿などの断熱材を嵌挿してもよい。
左右の前身頃１、２の開口部の両端には夫々に係合チャックからなる開閉用止着部１０、１１が設けられている。
左右の前身頃１、２の表地１ａ、２ａの前側の胸部にはポケット１２、１３が取り付けられている。
【００１１】
左右の前身頃１、２の表地１ａ、２ａの袖ぐりより下方の前側で、腹部の位置には釣竿４の竿尻５が当てられる板状の当て部材６、６が取り付けられている。当て部材６はポリウレタン、ポリ塩化ビニ−ル、エチレン酢酸ビニ−ルなどの合成樹脂やゴム材が型成形されており、可撓性を有し、表地１ａ、２ａより剛性が大きく、また、その表面の摩擦係数が大きく形成され、表面に凸部６ａと凸部６ａよりも低く形成された底部となる凹部６ｂが形成される。
また、皮革をプレス加工で凸部６ａと凹部６ｂが形成された当て部材６としてもよい。
【００１２】
凸部６ａの突出長さは０．５ｍｍから３ｃｍが望ましい。
凸部６ａの突出長さが０．５ｍｍ以上であると竿尻５を十分に支持できるようになり、３ｃｍ以下であると糸の掛かりや、手が引っ掛かることが起こりにくく、邪魔にならないため大物釣竿を支える以外の一般の釣りでは適当である。
当て部材６の凸部６ａのうち、中心の下側のリブ部ａを長く突出するように形成してもよい。
当て部材６、６が左右の前身頃１、２の表地１ａ、２ａに夫々取り付けられる時は当て部材６の周囲の凹溝６ｃ位置が縫製で固定される。
当て部材６、６の裏面と左右の前身頃１、２の表地１ａ、２ａに夫々ベルベット式面ファスナを固定して着脱自在に取り付けてもよい。
【００１３】
釣人が釣服のベストＡを装着して釣竿４の竿尻５が当て部材６の凹部６ｂに当てられ、竿尻５の下側が凸部６ａに支持されることによって保持される。
【００１４】
前記のように釣服が構成されると、当て部材６の表面の凸部６ａと凹部６ｂにより凹部６ｂに当てた釣竿４の竿尻５が凸部６ａで滑り落ちが防止され、釣竿４を保持し易くなると共に、釣服の表地の摩耗が防止できる。
釣服の表地に繊維でない当て部材６を取り付けることにより、耐久性を上げることができる。
当て部材６がポリウレタンなどの合成樹脂素材で形成されていると、汚れなどが内側にしみ込まないため、汚れが落ち易く、拭き取るだけで洗濯が不要になる。
【００１５】
図４、図５は第２実施例で、図４は釣服の正面図、図２は当て部材が取り付けられたポケットの斜視図である。
【００１６】
第２実施例の釣服のベストＡは、左前身頃１の表地１ａと右前身頃２の表地２ａと後身頃３の表地３ａと、左前身頃１の裏地と右前身頃２の裏地と後身頃３の裏地が縫製連結されている。
左右の前身頃１、２の表地１ａ、２ａの袖ぐりより下方の前側で、腹部の外側位置にはポケット７、８が固定されてポケット７、８の前面に釣竿４の竿尻５が当てられる板状の当て部材６、６が取り付けられている。
【００１７】
当て部材６はポリウレタン、ポリ塩化ビニ−ル、エチレン酢酸ビニ−ルなどの合成樹脂やゴム材が型成形されて可撓性を有し、表面に凸部６ａと凹部６ｂが形成されたり、皮革をプレス加工で凸部６ａと凹部６ｂが形成されている。
当て部材６、６が左右のポケット７、８の前面に夫々取り付けられる時は当て部材６の周囲の凹溝６ｃ位置が縫製で固定される。
当て部材６、６の裏面と左右のポケット７、８の前面に夫々ベルベット式面ファスナを固定して着脱自在に取り付けてもよい。
他の構成は前記第１実施例と略同一である。
【００１８】
【発明の効果】
本発明は、以上説明したような形態で実施され、以下に記載されるような効果を奏する。
【００１９】
請求項１により、当て部材の表面の凸部と凹部により凹部に当てた釣竿の竿尻が凸部で滑り落ちが防止され、釣竿を保持し易くなると共に、釣服の表地の摩耗が防止できる。
【図面の簡単な説明】
【図１】第１実施例で、釣服の正面図である。
【図２】同当て部材で（ａ）は拡大正面図で（ｂ）は（ａ）図のｂ−ｂ断面線の断面側面図で（ｃ）は（ａ）図のｃ−ｃ断面線の断面側面図である。
【図３】同釣人が釣服の当て部材に竿尻を当てて釣竿を保持した説明図と一部拡大説明図である。
【図４】第２実施例で、釣服の正面図である。
【図５】同当て部材が取り付けられたポケットの斜視図である。
【符号の説明】
Ａ  釣服のベスト
４  釣竿
５  竿尻
６  当て部材
６ａ  凸部
６ｂ  凹部
【図１】
2004225196.tif 000003
【図２】
2004225196.tif 000004
【図３】
2004225196.tif 000005
【図４】
2004225196.tif 000006
【図５】
2004225196.tif 000007